(57)【要約】【課題】雄ネジ部を回動調整可能な状態に維持しながら、緩みを防止することができる落し錠の緩み止め構造を得、ロッド突出長さが調整時から変ることによる施錠不能、解錠不能の防止する。【解決手段】扉５に回動自在に設けられたレバーハンドル２７と、扉５に設けられレバーハンドル軸の回転に従動して上下移動されるスライダと、上端に形成された雄ネジ部がスライダの雌ネジ部に螺合され、スライダの上下移動に応じ、下端に設けられた係止杆１５が地面１１に凹設された係止凹部１３に対して抜脱又は挿入されるロッド９とを備え、雄ネジ部が樹脂材料からなる一対の固定ブロックと可動ブロックとに挟まれ、一方の固定ブロックがスライダに固定手段を介して固定され、スライダに螺合される押圧ビスの先端に押圧された可動ブロックによって雄ネジ部が固定ブロックに押し当てられるようにした。【選択図】      図１
2008121297.tif 000002
【特許請求の範囲】
【請求項１】
扉に回動自在に設けられたレバーハンドルと、
前記扉に設けられレバーハンドル軸の回転に従動して上下移動されるスライダと、
上端に形成された雄ネジ部が該スライダの雌ネジ部に螺合され、前記スライダの上下移動に応じて連動し、下端に設けられた係止杆が地面又は床面に凹設された係止凹部に対して抜脱又は挿入されるロッドと、を備え、
前記雄ネジ部が樹脂材料からなる一対の固定ブロックと可動ブロックとに挟まれ、
一方の前記固定ブロックが前記スライダに固定手段を介して固定され、
前記スライダに螺合される押圧ビスの先端に押圧された前記可動ブロックによって前記雄ネジ部が前記固定ブロックに押し当てられることを特徴とする落し錠の緩み止め構造。
【請求項２】
前記雄ネジ部を挟む前記固定ブロックと前記可動ブロックとのそれぞれの対向挟持面に、前記雄ネジ部を挿入する保持溝が形成され、該保持溝に挿入して前記雄ネジ部を挟持した一対の前記固定ブロックと前記可動ブロックとが、所定の間隙を隔てて離間されることを特徴とする請求項１記載の落し錠の緩み止め構造。
【請求項３】
前記可動ブロックの前記挟持面に垂直な両側部に、前記固定ブロックに向かって突出する一対の弾性係止片が設けられ、
前記固定ブロックの両側面には、前記一対の弾性係止片を、前記ロッドの軸線直交方向に可動自在に係止する凹部空間が形成されたことを特徴とする請求項１又は２記載の落し錠の緩み止め構造。
【請求項４】
前記スライダが、前記雌ネジ部の形成された底板部と、該底板部の両側から起立した一対の側板部と、該両側板部に亘って形成された背板部と、からなり、
前記固定手段である固定ビスが、前記底板部に挿通されて前記固定ブロックに螺合されるとともに、前記押圧ビスが前記背板部に螺合され、
前記背板部と前記雄ネジ部との間に、前記可動ブロックが配置されたことを特徴とする請求項１又は２又は３に記載の落し錠の緩み止め構造。
【請求項５】
前記押圧ビスの先端に対向する前記可動ブロックの被押圧面には、前記押圧ビスの先端が進入する押圧座が凹設され、
該押圧座に進入した前記押圧ビスの先端が、金属座板を介して前記押圧座の底面に当接されることを特徴とする請求項１，２，３，４のいずれか１つに記載の落し錠の緩み止め構造。
【発明の詳細な説明】
【技術分野】
【０００１】
本発明は、扉の例えば下部からロッドを突出可能とした落し錠の緩み止め構造に関し、特に、螺合状態に取り付けられるロッドの緩みを防止する改良技術に関する。
【背景技術】
【０００２】
門扉などの扉には、扉の開閉端側に、係止用のロッドを突出自在に設け、地面に設けた係止凹部にロッドを挿入することで、扉を施錠可能とした落し錠やグレモン錠（例えば特許文献１参照）の取り付けられることがある。この種のロッドの落し錠構造は、扉に昇降自在なスライドラックが内蔵され、スライドラックは扉に回動自在に設けられたレバーハンドルの回動操作に従動して昇降自在となっている。スライドラックは、通常下方に延設さ、その下端部には雌ネジ部が形成され、雌ネジ部はロッドの上端に形成された雄ネジ部を螺合している。
【０００３】
したがって、レバーハンドルが操作され、スライドラックが昇降されると、これに伴ってロッドも昇降され、ロッドの下端部である係止杆が、地面に設けられた係止凹部に対して抜脱又は挿入され、扉が解錠又は施錠された。従来、この種の落し錠構造は、異なるロッド突出長の扉に採用可能となるように、或いはレバーハンドルと扉下端との距離が異なる場合に対応できるように、ロッドの雄ネジ部がスライドラックの雌ネジ部に螺合され、ロッドの突出長が自在に調整できるようになっていた。また、ロッドの雄ネジ部には、スライドラックに対する雄ネジ部の回動を規制するために、例えば緩み止めナット等が螺合される場合もあった。
【特許文献１】特開２００２−４７８４１号公報
【発明の開示】
【発明が解決しようとする課題】
【０００４】
しかしながら、従来のロッドは、昇降部材であるスライドラック等に設けられた雌ネジ部に、ロッドの雄ネジ部を螺合させていたため、経時的に外力や振動によるモーメントが作用することで、ロッドが回動し、ロッド突出長さが調整時から変ることがあった。そして、ロッド突出長さが短く変われば施錠不能となり、長く変われば解錠不能となる虞があった。また、ロッドの雄ネジ部に緩み止めナットを螺合したり、雄ネジ部に直交する方向から緩み止めネジを押圧する構成もあるが、雄ネジ部のネジ山を変形させ易く、後の突出長さ調整が不能となる場合があった。これに対し、ロッドの突出長さを固定長とすれば、異なるロッド突出長の扉に採用できなくなり、汎用性を低下させる不利が生じた。
【０００５】
本発明は上記状況に鑑みてなされたもので、雄ネジ部を回動調整可能な状態及び損傷の無い状態に維持しながら、緩みを防止することができる落し錠の緩み止め構造を提供し、もって、ロッド突出長さが調整時から変ることによる施錠不能、解錠不能の防止を図ることを目的とする。
【課題を解決するための手段】
【０００６】
次に、上記の課題を解決するための手段を、実施の形態に対応する図面を参照して説明する。
本発明の請求項１記載の落し錠の緩み止め構造は、扉５に回動自在に設けられたレバーハンドル２７と、
前記扉５に設けられレバーハンドル軸２５の回転に従動して上下移動されるスライダ６７と、
上端に形成された雄ネジ部７５が該スライダ６７の雌ネジ部７７に螺合され、前記スライダ６７の上下移動に応じて連動し、下端に設けられた係止杆１５が地面１１又は床面に凹設された係止凹部１３に対して抜脱又は挿入されるロッド９と、を備え、
前記雄ネジ部７５が樹脂材料からなる一対の固定ブロック８７と可動ブロック８９とに挟まれ、
一方の前記固定ブロック８７が前記スライダ６７に固定手段を介して固定され、
前記スライダ６７に螺合される押圧ビス１０５の先端１０５ａに押圧された前記可動ブロック８９によって前記雄ネジ部７５が前記固定ブロック８７に押し当てられることを特徴とする。
【０００７】
この落し錠の緩み止め構造では、スライダ６７に螺合したロッド９が、固定ブロック８７と可動ブロック８９との間に挟まれ、スライダ６７に螺合された押圧ビス１０５に可動ブロック８９が押圧されることで、雄ネジ部７５が可動ブロック８９を介して固定ブロック８７に押し当てられる。これにより、雄ネジ部７５は、第１に、可動ブロック８９と固定ブロック８７とによって挟持固定される。また、第２に、雄ネジ部７５が可動ブロック８９を介して雌ネジ部７７に押圧され、雄ネジ部７５と雌ネジ部７７との摩擦力が増大する。そして、雄ネジ部７５に対する挟持力及び押圧力の何れもが、樹脂材料からなるブロックによって印加される。
【０００８】
請求項２記載の落し錠の緩み止め構造は、前記雄ネジ部７５を挟む前記固定ブロック８７と前記可動ブロック８９とのそれぞれの対向挟持面に、前記雄ネジ部７５を挿入する保持溝９１，９３が形成され、該保持溝９１，９３に挿入して前記雄ネジ部７５を挟持した一対の前記固定ブロック８７と前記可動ブロック８９とが、所定の間隙Ｓを隔てて離間されることを特徴とする。
【０００９】
この落し錠の緩み止め構造では、雄ネジ部７５が挟持された状態で、可動ブロック８９と固定ブロック８７との間に所定の間隙Ｓが設けられ、可動ブロック８９の締め付け移動空間、すなわち、締め付け代が確保される。また、雄ネジ部７５は、保持溝９１，９３内に位置し挟持されることから、固定ブロック８７及び可動ブロック８９に対する接触面積が増えることとなる。
【００１０】
請求項３記載の落し錠の緩み止め構造は、前記可動ブロック８９の前記挟持面に垂直な両側部に、前記固定ブロック８７に向かって突出する一対の弾性係止片９５が設けられ、
前記固定ブロック８７の両側面には、前記一対の弾性係止片９５を、前記ロッド９の軸線直交方向に可動自在に係止する凹部空間９７が形成されたことを特徴とする。
【００１１】
この落し錠の緩み止め構造では、可動ブロック８９の弾性係止片９５が固定ブロック８７の凹部空間９７に係止され、可動ブロック８９が固定ブロック８７に対して可動自在に保持される。
【００１２】
請求項４記載の落し錠の緩み止め構造は、前記スライダ６７が、前記雌ネジ部７７の形成された底板部７９と、該底板部７９の両側から起立した一対の側板部８１と、該両側板部８１に亘って形成された背板部８３と、からなり、
前記固定手段である固定ビス１０１が、前記底板部７９に挿通されて前記固定ブロック８７に螺合されるとともに、前記押圧ビス１０５が前記背板部８３に螺合され、
前記背板部８３と前記雄ネジ部７５との間に、前記可動ブロック８９が配置されたことを特徴とする。
【００１３】
この落し錠の緩み止め構造では、可動ブロック８９が背板部８３と雄ネジ部７５との間に配置されることで、可動ブロック８９がスライダ両側の側板部８１、背板部８３及び雄ネジ部７５で可動自在に包囲される。
【００１４】
請求項５記載の落し錠の緩み止め構造は、前記押圧ビス１０５の先端１０５ａに対向する前記可動ブロック８９の被押圧面８９ａには、前記押圧ビス１０５の先端１０５ａが進入する押圧座１０７が凹設され、
該押圧座１０７に進入した前記押圧ビス１０５の先端１０５ａが、金属座板１０９を介して前記押圧座１０７の底面１０７ａに当接されることを特徴とする。
【００１５】
この落し錠の緩み止め構造では、押圧ビス１０５の先端１０５ａが可動ブロック８９の押圧座１０７に進入することで、押圧ビス１０５が凹状の押圧座１０７に係止した状態となり、可動ブロック８９のロッド軸線方向の移動が規制される。また、押圧ビス１０５による押圧時には、金属座板１０９を介して押圧座１０７の底面１０７ａが押圧される。
【発明の効果】
【００１６】
本発明に係る請求項１記載の落し錠の緩み止め構造によれば、スライダに螺合したロッドが、固定ブロックと可動ブロックとの間に挟まれ、スライダに螺合された押圧ビスに可動ブロックが押圧されることで、雄ネジ部が可動ブロックを介して固定ブロックに押し当てられることになる。したがって、雄ネジ部は、第１に、可動ブロックと固定ブロックとによって挟持固定され、外力によってモーメントが生じても、回動が規制されることとなる。また、第２に、雄ネジ部が可動ブロックを介して雌ネジ部に押圧され、雄ネジ部と雌ネジ部との摩擦力が増大するので、これによっても緩みを阻止することができる。そして、雄ネジ部に対する挟持力及び押圧力の何れもが、樹脂材料からなるブロックによって印加されるので、雄ネジ部、或いは雌ネジ部を損傷することがない。この結果、雄ネジ部を回動調整可能な状態に維持しながら、或いはネジ山を欠損するなどの損傷の無い状態とし、緩みを確実に防止することができ、ロッド突出長さが調整時から変ることによる施錠不能、解錠不能を防止できる。また、異なるロッド突出長の落し錠に適用可能となり、汎用性を高めることができる。
【００１７】
請求項２記載の落し錠の緩み止め構造によれば、雄ネジ部を挟持した状態で、可動ブロックと固定ブロックとの間に所定の間隙が設けられ、可動ブロックの締め付け移動空間を常に確保することができる。また、保持溝を備えた構成としたことで、雄ネジ部を挟持した際に、この雄ネジ部に対する接触面積を増やすことが可能となる。
【００１８】
請求項３記載の落し錠の緩み止め構造によれば、可動ブロックの弾性係止片を、固定ブロックの凹部空間に係止して、可動ブロックを固定ブロックに対して可動自在に保持することができ、仮り止め状態とした可動ブロックと固定ブロックの対向挟持面の間に、後作業によって雄ネジ部を容易に挿入することができる。
【００１９】
請求項４記載の落し錠の緩み止め構造によれば、可動ブロックが背板部と雄ネジ部との間に配置されることで、可動ブロックをスライダ両側の側板部、背板部及び雄ネジ部で包囲して可動自在に保持することができ、ロッドの後付け作業性を良好にすることができる。
【００２０】
請求項５記載の落し錠の緩み止め構造によれば、押圧ビスの先端が可動ブロックの押圧座に進入することで、可動ブロックのロッド軸線方向の移動が規制されて、スライダからの可動ブロックの脱落が確実に阻止される。また、押圧ビスによる押圧時には、金属座板を介して押圧座の底面が押圧されるので、樹脂材料からなる可動ブロックを破損させずに強い押圧力を印加することができる。
【発明を実施するための最良の形態】
【００２１】
以下、本発明に係る落し錠の緩み止め構造の好適な実施の形態を図面を参照して詳細に説明する。
図１は本発明に係る落し錠の緩み止め構造の適用された門扉の正面図である。
本実施の形態による緩み止め構造は、例えば門柱１にヒンジ３を介して開閉自在に取り付けられた門扉５の落し錠７に好適に用いられる。落し錠７は、下方向にスライドして突出するロッド９を備える。ロッド９は、地面１１に設けられる係止凹部１３に、先端の係止杆１５が挿入されることで、門扉５の開動を規制して施錠する。
【００２２】
図２は図１に示した落し錠の錠箱内部を透視した側面図である。
落し錠７は、門扉５に内設される錠箱１７を有する。錠箱１７には固定用のフランジ１９が上下に設けられ、フランジ１９はネジ２１によって門扉５の戸先板２３に螺着される。錠箱１７の略中央にはレバーハンドル軸２５が回動自在に設けられ、レバーハンドル軸２５の端部には扉面５ａで回動自在となるレバーハンドル２７が固定される。
【００２３】
レバーハンドル軸２５の錠箱１７内に位置する部位にはリンク板２９が固定され、リンク板２９はスライド板３１の長穴３３に係合ピン３５を係合している。スライド板３１には突起３７が突設され、突起３７は錠箱１７に形成された上下に長いガイド溝３９に沿って移動される。すなわち、スライド板３１は、レバーハンドル２７が操作されることにより、レバーハンドル軸２５が略９０°の回転角度範囲で回転し、リンク板２９、係合ピン３５を介して上下に移動される。
【００２４】
スライド板３１は、一端を錠箱１７のピン４１に支持し、他端をスライド板３１のピン４３に支持したスイッチングバネ４５によって、上下何れかの移動位置に付勢配置される。
【００２５】
錠箱１７には施錠摘み軸４７が回動自在に設けられ、施錠摘み軸４７の一端には扉面５ａで回動自在となる施錠摘み４９（図１参照）が固定される。施錠摘み軸４７には揺動片５１が固定され、揺動片５１は錠箱１７内に起立した一対の凸部５３に当接することで、施錠摘み軸４７の回転角度を略９０°の範囲に規制している。揺動片５１は、支軸５４を介して錠箱１７に支持された付勢バネ５５の一端に押圧され、これにより回転範囲の何れか一方に付勢配置される。揺動片５１は、図２の時計回りの一方の回転端位置で、スライド板３１の係合部３１ａに係合し、スライド板３１の下方向の移動を規制する。これにより、後述の機構によりロッド９の上昇が規制され、門扉５が施錠状態となる。門扉５の施錠は、施錠摘み４９が図２の反時計回りに回転されることで、揺動片５１が係合部３１ａから外れ解錠される。
【００２６】
スライド板３１には上下方向に歯部を並設したラック５７が形成される。錠箱１７には支持軸５９によって小歯車６１が回動自在に支持され、小歯車６１はラック５７に噛合している。支持軸５９には小歯車６１と一体回転する大歯車６３が回動自在に設けられ、大歯車６３はロッド連結部６５におけるスライダ６７のラック６９に噛合している。スライダ６７は、ラック６９の形成される縦杆部７１に上下に長い長穴７３が形成され、この長穴７３が門扉５の内部に設けられた不図示のガイド部に案内される。
【００２７】
落し錠７は、レバーハンドル２７が回転操作されると、スライド板３１が上下移動され、これに伴って小歯車６１及び大歯車６３が回転し、大歯車６３に噛合するスライダ６７が従動して上下移動され、ロッド連結部６５を介してロッド９が係止凹部１３に対して抜脱又は挿入される。
【００２８】
図３は図２に示したロッド連結部の要部水平断面図、図４は図３に示したロッド連結部の分解斜視図、図５は固定ブロック及び可動ブロックの縦断面図である。
ロッド連結部６５は、スライダ６７にロッド９を連結する。ロッド９は、上端に形成された雄ネジ部７５が、スライダ６７の図４に示す雌ネジ部７７に螺合され、スライダ６７と一体に上下動する。
【００２９】
スライダ６７は、雌ネジ部７７の形成された底板部７９と、底板部７９の両側から起立した一対の平行な側板部８１，８１と、両側板部８１，８１に亘って形成された背板部８３とからなる。側板部８１，８１には縦杆部７１の基部７１ａが連設される。
【００３０】
雌ネジ部７７に螺合して底板部７９から上方へ突出した雄ネジ部７５は、樹脂材料からなる一対の、例えば２分割構造とされた固定ブロック８７と可動ブロック８９とに挟まれている。固定ブロック８７と可動ブロック８９には、滑り性よりも、金属凸部等に食い込みやすい素材、ジュラコン、ナイロン系樹脂等が好適に用いられる。後述する組立手順で説明するように、ロッド９の雄ネジ部７５は、固定ブロック８７と可動ブロック８９をスライダ６７に装着した後に雌ネジ部７７に螺合される。
【００３１】
雄ネジ部７５を挟む固定ブロック８７と可動ブロック８９とのそれぞれの対向挟持面には、雄ネジ部７５を挿入する保持溝９１，９３が形成される。保持溝９１，９３に挿入して雄ネジ部７５を挟持した一対の固定ブロック８７と可動ブロック８９とは、図５に示す所定の間隙Ｓを隔てて離間される。すなわち、雄ネジ部７５が挟持された状態で、この雄ネジ部７５に対して接触面積を増やすとともに、可動ブロック８９と固定ブロック８７との間に所定の間隙Ｓが設けられ、可動ブロック８９の締め付け移動空間、すなわち、締め付け代が常に確保されるようになっている。
【００３２】
可動ブロック８９の挟持面に垂直な両側部には、固定ブロック８７に向かって突出する一対の弾性係止片９５，９５が設けらている。固定ブロック８７の両側面には、この一対の弾性係止片９５をロッド９の軸線直交方向に可動自在に係止する凹部空間９７，９７が形成されている。弾性係止片９５は、凹部空間９７，９７の縁部に立設した係止壁９７ａに係止する。このように、可動ブロック８９の弾性係止片９５を、固定ブロック８７の凹部空間９７，９７に係止して、可動ブロック８９を固定ブロック８７に対して可動自在に保持することで、仮り止め状態とした可動ブロック８９と固定ブロック８７の対向挟持面の間に、後作業によって雄ネジ部７５を容易に挿入することができるようになっている。
【００３３】
固定ブロック８７と可動ブロック８９の保持溝９１，９３の下端には、図５に示すテーパ面９９ａ，９９ｂが形成され、テーパ面９９ａ，９９ｂは下からの雄ネジ部７５の挿入を容易としている。
【００３４】
固定ブロック８７は、底板部７９に挿通された固定手段である固定ビス１０１が、ネジ孔１０３（図５参照）に螺合されることで、スライダ６７の底板部７９に固定される。一方、可動ブロック８９は、背板部８３と雄ネジ部７５との間に配置される。スライダ６７の背板部８３に形成されたネジ孔１０４には押圧ビス１０５が螺合され、押圧ビス１０５は可動ブロック８９を押圧するようになっている。
【００３５】
ここで、固定ビス１０１によって固定される固定ブロック８７は、保持溝９１の円弧中心が、雌ネジ部７７の中心軸より、押圧ビス１０５の押圧方向に若干ずれて偏芯している。これにより、スライダ６７に螺合される押圧ビス１０５の先端１０５ａに押圧された可動ブロック８９によって、雄ネジ部７５が固定ブロック８７に押し当てられるようになっている。
【００３６】
このように、可動ブロック８９が背板部８３と雄ネジ部７５との間に配置されることで、可動ブロック８９がスライダ６７両側の側板部８１，８１、背板部８３及び雄ネジ部７５で可動自在に包囲され、ロッド９の挿入によっても固定ブロック８７及び可動ブロック８９が脱落することなく保持でき、ロッド９の後付け作業性が良好に行えるようになっている。
【００３７】
また、押圧ビス１０５の先端１０５ａに対向する可動ブロック８９の被押圧面８９ａには、押圧ビス１０５の先端１０５ａが進入する押圧座１０７が凹設されている。そして、押圧座１０７に進入した押圧ビス１０５の先端１０５ａは、金属座板１０９を介して押圧座１０７の底面１０７ａに当接される。このように、押圧ビス１０５の先端１０５ａが可動ブロック８９の押圧座１０７に進入することで、押圧ビス１０５が凹状の押圧座１０７に係止した状態となり、可動ブロック８９のロッド軸線方向の移動が規制され、スライダ６７からの可動ブロック８９の上方向への脱落が確実に阻止される。また、押圧ビス１０５による押圧時には、金属座板１０９を介して押圧座１０７の底面１０７ａが押圧されるので、樹脂材料からなる可動ブロック８９を破損させずに強い押圧力を印加することができる。
【００３８】
次に、上記した落し錠におけるロッド連結部の組立手順を説明する。
図６はスライダに固定ブロック及び可動ブロックを装着する直前の状態を表した組立手順説明図、図７はロッド螺合直前の状態を表した組立手順説明図、図８はロッド長さ調整状態を表す組立手順説明図、図９はロッドの緩み止めが完了した状態を表す組立手順説明図である。
ロッド連結部６５を組み立てるには、先ず、図６に示すように、可動ブロック８９の弾性係止片９５を固定ブロック８７の係止壁９７ａに係止し、一体に仮組みした可動ブロック８９と固定ブロック８７とをスライダ６７の側板部８１，８１間に挿入する。この際、可動ブロック８９の押圧座１０７には金属座板１０９を挿入しておく。
【００３９】
次いで、底板部７９に穿設したネジ挿通穴１１１に固定ビス１０１を挿通し、固定ブロック８７のネジ孔１０３に螺合することで、固定ブロック８７を底板部７９に仮り固定する。次いで、図７に示すように、押圧ビス１０５を、背板部８３のネジ孔１０４に螺合して行き、先端１０５ａを、押圧座１０７に挿入した金属座板１０９に当接させる。押圧ビス１０５は、金属座板１０９に接触した状態として、それ以上の締め込みは雄ネジ部７５が挿入された後とする。
【００４０】
図８に示すように、門扉５の下端面５ｂにはロッド９を挿入するための挿入開口１１３が穿設されている。ロッド９は、門扉５を門柱１に取り付ける前に、予め雄ネジ部７５を挿入開口１１３に挿入しておく。ロッド９は、雄ネジ部７５をスライダ６７の雌ネジ部７７に下方から螺合することで、可動ブロック８９と固定ブロック８７との対向挟持面の間に挟入する。この際、可動ブロック８９及び固定ブロック８７の下面にはテーパ面９９ａ，９９ｂが形成されているので、雄ネジ部７５が容易に保持溝９１，９３内へと案内され、雌ネジ部７７への螺合を妨げることがない。
【００４１】
なお、ロッド９は、雄ネジ部７５を予めスライダ６７の雌ネジ部７７に仮り螺合させておいても良い。この場合、下端の係止杆１５を着脱自在とすることで、運搬性を良好にすることができる。
【００４２】
次いで、門扉５が門柱１に取り付けられた状態で、落し錠７が施錠時に、係止杆１５が係止凹部１３に所定深さで進入するよう雄ネジ部７５を回動させて、係止杆１５の突出長を調整する。
【００４３】
係止杆１５の突出長が定まったなら、固定ビス１０１を本締めした後、押圧ビス１０５を本締めする。これにより、可動ブロック８９及び固定ビス１０１の保持溝９１，９３が雄ネジ部７５に食い込むこととなる。
【００４４】
このように、スライダ６７に螺合したロッド９の雄ネジ部７５が、固定ブロック８７と可動ブロック８９との間に挟まれ、スライダ６７に螺合された押圧ビス１０５に可動ブロック８９が押圧されることで、雄ネジ部７５が可動ブロック８９を介して固定ブロック８７に押し当てられる。これにより、雄ネジ部７５は、第１に、可動ブロック８９と固定ブロック８７とによって挟持固定される。
【００４５】
また、第２に、雄ネジ部７５が可動ブロック８９を介して雌ネジ部７７に押圧され、雄ネジ部７５に剪断方向の力が作用するとともに、保持溝９１，９３が雄ネジ部７５のネジ山に食い込むことで、雄ネジ部７５と雌ネジ部７７との摩擦力が増大する。このように雄ネジ部７５に対する挟持力及び押圧力の何れもが、樹脂材料からなるブロックによって印加される。
【００４６】
したがって、上記の落し錠７の緩み止め構造によれば、スライダ６７に螺合したロッド９が、固定ブロック８７と可動ブロック８９との間に挟まれ、スライダ６７に螺合された押圧ビス１０５に可動ブロック８９が押圧されることで、雄ネジ部７５が可動ブロック８９を介して固定ブロック８７に押し当てられることになる。これにより、雄ネジ部７５は、第１に、可動ブロック８９と固定ブロック８７とによって挟持固定され、外力によってモーメントが生じても、回動が規制されることとなる。また、第２に、雄ネジ部７５が可動ブロック８９を介して雌ネジ部７７に押圧され、雄ネジ部７５と雌ネジ部７７との摩擦力が増大するので、これによっても緩みを阻止することができる。
【００４７】
そして、雄ネジ部７５に対する挟持力及び押圧力の何れもが、樹脂材料からなるブロックによって印加されるので、雄ネジ部７５、或いは雌ネジ部７７を損傷することがない。この結果、雄ネジ部７５を回動調整可能な状態に維持しながら、或いはネジ山を欠損するなどの損傷の無い状態とし、緩みを確実に防止することができ、ロッド突出長さが調整時から変ることによる施錠不能、解錠不能を防止できる。また、一種類の落し錠７で、異なるロッド突出長に適用可能となり、汎用性を高めることができる。
【００４８】
なお、地面１１に設ける係止凹部１３には図８に示すキャップ状部品１１５を着脱自在に装着することが好ましい。これにより、係止凹部１３に侵入したゴミや塵埃を容易に除去可能にできる。
【００４９】
また、上記の実施の形態では、ロッド９が門扉５の下端より突出する例を説明したが、ロッド９は、上端から突出しても良く、さらには上下端から同時に突出するグレモン錠用ロッドであってもよい。
【００５０】
また、上記の実施の形態では、可動ブロック８９と固定ブロック８７とが別体である例を説明したが、可動ブロック８９と固定ブロック８７とは、樹脂製品であることからヒンジ等を介して一体に連結形成し、開閉自在とすれば、部品数を少なくして部品管理や組付性を良好にすることができる。
【図面の簡単な説明】
【００５１】
【図１】本発明に係る落し錠の緩み止め構造の適用された門扉の正面図である。
【図２】図１に示した落し錠の錠箱内部を透視した側面図である。
【図３】図２に示したロッド連結部の要部水平断面図である。
【図４】図３に示したロッド連結部の分解斜視図である。
【図５】固定ブロック及び可動ブロックの縦断面図である。
【図６】スライダに固定ブロック及び可動ブロックを装着する直前の状態を表した組立手順説明図である。
【図７】ロッド螺合直前の状態を表した組立手順説明図である。
【図８】ロッド長さ調整状態を表す組立手順説明である。
【図９】ロッドの緩み止めが完了した状態を表す組立手順説明図である。
【符号の説明】
【００５２】
５…扉（門扉）
９…ロッド
１１…地面
１３…係止凹部
１５…係止杆
２５…レバーハンドル軸
２７…レバーハンドル
６７…スライダ
７５…雄ネジ部
７７…雌ネジ部
７９…底板部
８１…側板部
８３…背板部
８７…固定ブロック
８９…可動ブロック
８９ａ…可動ブロックの被押圧面
９１，９３…保持溝
９５…弾性係止片
９７…凹部空間
１０１…固定ビス（固定手段）
１０５…押圧ビス
１０５ａ…押圧ビスの先端
１０７…押圧座
１０７ａ…押圧座の底面
１０９…金属座板
Ｓ…所定の間隙
【図１】
2008121297.tif 000003
【図２】
2008121297.tif 000004
【図３】
2008121297.tif 000005
【図４】
2008121297.tif 000006
【図５】
2008121297.tif 000007
【図６】
2008121297.tif 000008
【図７】
2008121297.tif 000009
【図８】
2008121297.tif 000010
【図９】
2008121297.tif 000011